(57)【特許請求の範囲】
【請求項１】
互いに異なる基板に実装されたプラグコネクタとリセプタクルコネクタとを備え、前記互いに異なる基板同士の対面方向を嵌合方向として、前記プラグコネクタと前記リセプタクルコネクタとが嵌合される電気コネクタであって、
前記プラグコネクタは、
前記嵌合方向に延びる導体部であるプラグコンタクトを有し、
前記リセプタクルコネクタは、
前記プラグコンタクトと対向しながら前記嵌合方向に延び、前記プラグコンタクトに接触する導体部であるリセプタクルコンタクトを有し、
前記プラグコネクタ及び前記リセプタクルコネクタが互いに嵌合している状態における
前記プラグコンタクトは、
前記リセプタクルコンタクトから離れる方向に凹んだ凹部を有し、
前記リセプタクルコンタクトは、
前記プラグコンタクトに向かって突出した、第１接触部及び第２接触部を有し、
前記第１接触部は、
前記第２接触部よりも前記突出の量が大きく、前記嵌合している状態において前記凹部に収容されて前記プラグコンタクトから離間しており、
前記第２接触部は、
前記嵌合している状態において前記プラグコンタクトに接触している、
電気コネクタ。
【請求項２】
前記リセプタクルコンタクトは、前記プラグコンタクトに向かって付勢するようにばね性を有している、請求項１記載の電気コネクタ。
【請求項３】
前記第１接触部は、前記嵌合方向において、前記第２接触部よりも前記リセプタクルコンタクトの先端に近い、請求項２記載の電気コネクタ。
【請求項４】
前記第１接触部及び前記第２接触部は、前記嵌合方向に並んで配置されている、請求項１〜３のいずれか一項記載の電気コネクタ。
【発明の詳細な説明】
【技術分野】
【０００１】
本開示は、互いに異なる基板に実装されたプラグコネクタとリセプタクルコネクタとが嵌合された電気コネクタに関する。
【背景技術】
【０００２】
従来から、板状のプリント配線基板（以下、単に基板と記載する場合がある）同士を互いに接続する、いわゆる基板対基板（ボード・トゥ・ボード：Board to board）接続の電気コネクタが知られている（例えば特許文献１及び２参照）。このような電気コネクタでは、互いに異なる基板に実装されたプラグコネクタとリセプタクルコネクタとが嵌合することにより、基板同士が電気的に接続される。より詳細には、プラグコネクタ及びリセプタクルコネクタがそれぞれ所定のピッチに配列されたコンタクトを有しており、嵌合時に、コンタクト同士が所定の圧力で接触することにより、基板同士が電気的に接続される。
【先行技術文献】
【特許文献】
【０００３】
【特許文献１】特開２００８−７１５１７号公報
【特許文献２】特開２０１５−３５４０７号公報
【発明の概要】
【発明が解決しようとする課題】
【０００４】
ここで、リセプタクルコネクタは、製造時に耐久挿抜試験を行うため、挿抜試験によりコンタクトの表面のメッキが削れ、銅などで構成された下地が露出する場合がある。そこで、本開示は、リセプタクルコネクタにおけるコンタクトのメッキ等の削れを抑制することができる電気コネクタを説明する。
【課題を解決するための手段】
【０００５】
本開示に係る電気コネクタは、互いに異なる基板に実装されたプラグコネクタとリセプタクルコネクタとを備え、互いに異なる基板同士の対面方向を嵌合方向として、プラグコネクタとリセプタクルコネクタとが嵌合される電気コネクタであって、プラグコネクタは、嵌合方向に延びる導体部であるプラグコンタクトを有し、リセプタクルコネクタは、プラグコンタクトと対向しながら嵌合方向に延び、プラグコンタクトに接触する導体部であるリセプタクルコンタクトを有し、プラグコネクタ及びリセプタクルコネクタが互いに嵌合している状態における、プラグコンタクトは、リセプタクルコンタクトから離れる方向に凹んだ凹部を有し、リセプタクルコンタクトは、プラグコンタクトに向かって突出した、第１接触部及び第２接触部を有し、第１接触部は、第２接触部よりも突出の量が大きく、嵌合している状態において凹部に収容されており、第２接触部は、嵌合している状態においてプラグコンタクトに接触している。
【０００６】
本開示に係る電気コネクタでは、リセプタクルコンタクトとして、対向するプラグコンタクトに向かって突出した第１接触部および第２接触部を有しており、第１接触部の突出の量が第２接触部よりも大きい。このため、プラグコネクタとリセプタクルコネクタとを嵌合させるべく、プラグコネクタをリセプタクルコネクタに挿入する際には、主に、第１接触部がプラグコンタクトに接触することとなる。これにより、例えば耐久挿抜試験等を繰り返し行う場合において、プラグコンタクトに対する第２接触部の摺動距離を短くすることができ、第２接触部のメッキ等の削れを抑制することができる。そして、リセプタクルコネクタへのプラグコネクタの挿入が完了し、プラグコネクタとリセプタクルコネクタとが嵌合している状態においては、リセプタクルコネクタに形成された凹部に第１接触部が収容される。このように、突出の量が大きい第１接触部が凹部に収容されることにより、第２接触部がプラグコンタクトに接触することとなる。これにより、挿入時においてプラグコンタクトと接触していなかった（或いは、弱い接圧で接触していた）第２接触部を、嵌合している状態におけるメインコンタクトとすることができる。すなわち、リセプタクルコンタクトにおけるメッキ等の削れが抑制された部分を、メインコンタクトとすることができる。以上のように、本開示に係る電気コネクタによれば、リセプタクルコンタクトにおけるメインコンタクトのメッキ等の削れを抑制することができる。
【０００７】
本開示に係る電気コネクタにおいて、リセプタクルコンタクトは、プラグコンタクトに向かって付勢するようにばね性を有していてもよい。これにより、プラグコンタクトとの接触状況に応じてリセプタクルコンタクトが変位可能となるので、嵌合作業が容易になるとともに、プラグコンタクトに対するリセプタクルコンタクトの接圧を確保することができる。
【０００８】
本開示に係る電気コネクタにおいて、第１接触部は、嵌合方向において、第２接触部よりもリセプタクルコンタクトの先端に近くてもよい。第１接触部は、ハウジングにおけるリセプタクルコンタクトの固定部分からの長さであるコンタクト長が、第２接触部と比較して長くなる。コンタクト長が長くなるほど、ばね性を有する部分が長くなるので、プラグコネクタに対する接圧は低くなる。このため、第１接触部のプラグコネクタに対する接圧は、第２接触部の当該接圧よりも低くなる。プラグコネクタの挿入時においてプラグコンタクタと接触する第１接触部の接圧を低くすることにより、挿入作業を容易に行うことができ、作業性を向上させることができる。そして、嵌合している状態においてプラグコンタクタと接触する第２接触部の接圧を高くすることにより、メインコンタクトの接圧を十分に確保することができる。
【発明の効果】
【０００９】
本開示に係る電気コネクタによれば、コンタクトのメッキ等の削れを抑制することができる。
【図面の簡単な説明】
【００１０】
【図１】図１は、本発明の実施形態に係る電気コネクタの斜視図である。
【図２】図２は、プラグコネクタとリセプタクルコネクタとが嵌合された電気コネクタを説明する図であり、図２（ａ）は電気コネクタの側面図、図２（ｂ）は図２（ａ）のＩＩ（ｂ）ーＩＩ（ｂ）線に沿った断面図である。
【図３】図３は、図１の電気コネクタに含まれたプラグコネクタの斜視図である。
【図４】図４は、図３のプラグコネクタのコンタクトの正面図である。
【図５】図５は、図１の電気コネクタに含まれたリセプタクルコネクタの斜視図である。
【図６】図６は、図５のリセプタクルコネクタのコンタクトの正面図である。
【図７】図７は、嵌合工程を説明する図であり、図７（ａ）は嵌合途中のコンタクトを示す図、図７（ｂ）は嵌合完了時のコンタクトを示す図である。
【発明を実施するための形態】
【００１１】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００１２】
［電気コネクタ］
図１、図２（ａ）、及び図２（ｂ）を参照して、電気コネクタの全体構成について説明する。図１、図２（ａ）、及び図２（ｂ）に示されるように、電気コネクタ１は、プラグコネクタ１０と、リセプタクルコネクタ５０とを備える。電気コネクタ１は、基板同士を互いに接続する、いわゆる基板対基板接続の電気コネクタである。基板とは、例えばプリント配線基板である。電気コネクタ１は、互いに異なる基板に実装されたプラグコネクタ１０とリセプタクルコネクタ５０とが嵌合することにより、互いに異なる基板同士を電気的に接続する。すなわち、図２（ｂ）に示されるように、基板ｂ１に実装されたプラグコネクタ１０と、基板ｂ２に実装されたリセプタクルコネクタ５０とが、基板ｂ１，ｂ２の対面方向を嵌合方向として互いに嵌合することにより、基板ｂ１，ｂ２が電気的に接続される。なお、図２（ｂ）以外の図面においては、基板ｂ１，ｂ２の図示を省略している。
【００１３】
プラグコネクタ１０は、嵌合方向に延びる導体部であるコンタクト１１（プラグコンタクト）を、複数有している。コンタクト１１は、嵌合方向と交差する方向に、２列で複数配置されている。リセプタクルコネクタ５０は、嵌合方向に延びる導体部であるコンタクト５１（リセプタクルコンタクト）を複数有している。コンタクト５１は、嵌合方向と交差する方向に、２列で複数配置されている。図２（ｂ）に示されるように、プラグコネクタ１０とリセプタクルコネクタ５０とが嵌合した状態において、コンタクト１１は、一端側で基板ｂ１と接続されると共に他端側でコンタクト５１に接触している。また、コンタクト５１は、一端側で基板ｂ２と接続されると共に他端側でコンタクト１１に接触している。
【００１４】
なお、以下の説明においては、プラグコネクタ１０及びリセプタクルコネクタ５０の嵌合方向（すなわち、コンタクト１１，５１の延伸方向）を「Ｚ方向」、Ｚ方向に交差する方向であって複数のコンタクト１１（或いはコンタクト５１）が隣り合う方向を「Ｘ方向」、Ｘ方向及びＺ方向に交差する方向であって、互いに異なる列のコンタクト１１（或いはコンタクト５１）同士が対向する方向を「Ｙ方向」、として説明する場合がある。また、Ｚ方向において、プラグコネクタ１０が実装される基板ｂ１側を上側、リセプタクルコネクタ５０が実装される基板ｂ２側を下側として説明する場合がある。
【００１５】
［プラグコネクタ］
次に、図２（ｂ）、図３及び図４を参照しながら、プラグコネクタ１０の詳細について説明する。図２（ｂ）及び図３に示されるように、プラグコネクタ１０は、コンタクト１１と、インシュレータ１２と、外部シェル１３と、を有している。プラグコネクタ１０は、略直方体形状であるが、リセプタクルコネクタ５０を挿入すべく、リセプタクルコネクタ５０が挿入される側（Ｚ方向下側）の底面を有していない。
【００１６】
コンタクト１１は、Ｚ方向に延びる導体部であり、Ｙ方向において隣り合う２列で、Ｘ方向に所定のピッチで複数配置されている。すなわち、プラグコネクタ１０には、Ｙ方向において隣り合う２つのコンタクト群があり、各コンタクト群においては、コンタクト１１がＸ方向に所定のピッチで複数配置されている。
【００１７】
コンタクト１１は、Ｚ方向に延びる延伸部１１ａと、延伸部１１ａの上端に連続すると共にＹ方向外側に延びる露出部１１ｂとを有する。露出部１１ｂは、より詳細には、Ｙ方向において対向する異なるコンタクト群のコンタクト１１の反対側に延びている（外方に向かって延びている）。延伸部１１ａはリセプタクルコネクタ５０のコンタクト５１と接触する部分であり、露出部１１ｂは基板ｂ１のプリント配線と接触する部分である。コンタクト１１は、例えば曲げ加工により形成されている。
【００１８】
図４に示されるように、コンタクト１１の延伸部１１ａは、Ｚ方向における略中央箇所に、Ｙ方向に凹んだ凹部１１ｘを有している。凹部１１ｘは、プラグコネクタ１０におけるＹ方向中央側（露出部１１ｂの延伸方向と反対側）に凹んでおり、嵌合状態において、リセプタクルコネクタ５０のコンタクト５１から離れる方向に凹んでいる（図２（ｂ）参照）。凹部１１ｘは、プラグコネクタ１０及びリセプタクルコネクタ５０が嵌合している状態において、コンタクト５１の第１接触部５１ｘを収容している。
【００１９】
また、延伸部１１ａの下端部には、プラグコネクタ１０のＹ方向中央側に屈曲する屈曲点１１ｙが形成されている（図２（ｂ）参照）。屈曲点１１ｙが形成されていることにより、延伸部１１ａの下端はＹ方向中央側に配置される。また、コンタクト１１の露出部１１ｂは、Ｙ方向における略中央箇所に、Ｚ方向上側に屈曲する屈曲点１１ｚが形成されている（図２（ｂ）参照）。屈曲点１１ｚが形成されていることにより、露出部１１ｂにおけるＺ方向の高さが２段構成となっている。
【００２０】
インシュレータ１２は、絶縁性樹脂等により構成された絶縁部材である。インシュレータ１２は、例えばインサート成形により、複数のコンタクト１１からなるコンタクト群と一体成形されている。インシュレータ１２は、Ｙ方向において隣り合う２つのコンタクト群それぞれに対応するように、一対設けられている。一対のインシュレータ１２のうち一方は、一方のコンタクト群と一体成形されている。また、一対のインシュレータ１２のうち他方は、他方のコンタクト群と一体成形されている。
【００２１】
インシュレータ１２は、コンタクト１１に応じた形状とされており、コンタクト１１の露出部１１ｂの延伸方向に延びる平板部１２ｂと、コンタクト１１の延伸部１１ａの延伸方向に延びるガイド壁１２ｃとを有している。ガイド壁１２ｃは、延伸部１１ａの内側（Ｙ方向内側）において延伸部１１ａに沿って延びている。ガイド壁１２ｃには、Ｚ方向に沿って開口１２ｄが複数（例えば２つ）形成されている。
【００２２】
外部シェル１３は、インシュレータ１２を被覆する部材である。外部シェル１３は、例えばアルミニウム等により構成されている。外部シェル１３は、プラグコネクタ１０の４側面を形成する外壁１３ａと、Ｙ方向において隣り合って配置された一対のインシュレータ１２の間に配置された仕切り壁１３ｂとを有している。外壁１３ａ及び仕切り壁１３ｂは、Ｚ方向において、コンタクト１１よりも下方まで延びている。Ｙ方向外側に配置された外壁１３ａは、インシュレータ１２の平板部１２ｂの外側先端と接している。また、Ｙ方向外側に配置された外壁１３ａと該外壁１３ａの内側に配置されたコンタクト１１の延伸部１１ａとの間には、リセプタクルコネクタ５０を収容するための収容空間２０（図２（ｂ）参照）が形成されている。仕切り壁１３ｂは、Ｘ方向全域に設けられており、両側面においてインシュレータ１２のガイド壁１２ｃ及び平板部１２ｂに接している。すなわち、仕切り壁１３ｂは、一方の側面において一方のインシュレータ１２のガイド壁１２ｃ及び平板部１２ｂに接しており、他方の側面において他方のインシュレータ１２のガイド壁１２ｃ及び平板部１２ｂに接している。
【００２３】
［リセプタクルコネクタ］
次に、図２（ｂ）、図５及び図６を参照しながら、リセプタクルコネクタ５０の詳細について説明する。図２（ｂ）及び図５に示されるように、リセプタクルコネクタ５０は、コンタクト５１と、インシュレータ５２（図２（ｂ）参照）と、コンタクトガイド５３と、外部シェル５４と、を有している。リセプタクルコネクタ５０は、略直方体形状であるが、プラグコネクタ１０を挿入すべく、プラグコネクタ１０が挿入される側（Ｚ方向上側）の上面を有していない。
【００２４】
コンタクト５１は、プラグコネクタ１０のコンタクト１１と対向しながらＺ方向に延び、コンタクト１１と接触する導体部である。コンタクト５１は、Ｙ方向において隣り合う２列で、Ｘ方向に所定のピッチで複数配置されている。すなわち、リセプタクルコネクタ５０には、Ｙ方向において隣り合う２つのコンタクト群があり、各コンタクト群においては、コンタクト５１がＸ方向に所定のピッチで複数配置されている。
【００２５】
コンタクト５１は、Ｚ方向に延びる延伸部５１ａと、延伸部５１ａの下端に連続すると共にＹ方向外側に延びる露出部５１ｂとを有する。露出部５１ｂは、より詳細には、Ｙ方向において対向する異なるコンタクト群のコンタクト５１の反対側に延びている（外方に向かって延びている）。延伸部５１ａはプラグコネクタ１０のコンタクト１１と接触する部分であり、露出部５１ｂは基板ｂ２のプリント配線基板と接触する部分である。コンタクト５１は、例えば曲げ加工により形成されている。
【００２６】
延伸部５１ａは、プラグコネクタ１０のコンタクト１１に向かって付勢するようにばね性を有している。延伸部５１ａは、例えば折り曲げ加工が施されることにより、ばね性を有している。コンタクト５１とインシュレータ５２とは例えばインサート成形により一体成形されている。そして、インシュレータ５２と一体成形されたコンタクト５１の延伸部５１ａのうち、インシュレータ５２に接している部分はインシュレータ５２との相対的な位置関係が固定されているのに対し、延伸部５１ａのうちインシュレータ５２に接している部分よりも上方の部分においては、Ｙ方向における位置が可変とされている。これにより、延伸部５１ａは、上記ばね性を利用してコンタクト１１に付勢可能とされている。
【００２７】
図６に示されるように、コンタクト５１の延伸部５１ａは、Ｚ方向における上部側に、他の部分よりもＹ方向に突出した第１接触部５１ｘ及び第２接触部５１ｙを有している。第１接触部５１ｘ及び第２接触部５１ｙは、リセプタクルコネクタ５０におけるＹ方向中央側に突出しており、嵌合状態において、プラグコネクタ１０のコンタクト１１に向かって突出している（図２（ｂ）参照）。
【００２８】
第１接触部５１ｘは、第２接触部５１ｙよりもコンタクト１１に向けての突出の量が大きく、且つ、プラグコネクタ１０及びリセプタクルコネクタ５０が互いに嵌合している状態において、第２接触部５１ｙよりもコンタクト５１の先端５１ｄに近い（すなわちコンタクト５１の上部側に設けられている）。第１接触部５１ｘは、プラグコネクタ１０とリセプタクルコネクタ５０とが嵌合している状態において、コンタクト１１の凹部１１ｘに収容されている（図２（ｂ）参照）。第１接触部５１ｘは、凹部１１ｘに収容されている状態において、コンタクト１１と接触していない。第２接触部５１ｙは、プラグコネクタ１０とリセプタクルコネクタ５０とが嵌合している状態において、コンタクト１１に接触している。
【００２９】
また、延伸部５１ａは、Ｙ方向中央側に突出する第１接触部５１ｘを屈曲点として、先端５１ｄに向かってＹ方向外側に延びている。また、コンタクト５１の露出部５１ｂは、Ｙ方向における略中央箇所に、Ｚ方向下側に屈曲する屈曲点５１ｚが形成されている（図２（ｂ）参照）。屈曲点５１ｚが形成されていることにより、露出部５１ｂにおけるＺ方向の高さが２段構成となっている。
【００３０】
インシュレータ５２は、絶縁性樹脂等により構成された絶縁部材である。インシュレータ５２は、例えばインサート成形により、複数のコンタクト５１からなるコンタクト群と一体成形されている。インシュレータ５２は、Ｙ方向において隣り合う２つのコンタクト群それぞれに対応するように、一対設けられている。一対のインシュレータ５２のうち一方は、一方のコンタクト群と一体成形されている。また、一対のインシュレータ５２のうち他方は、他方のコンタクト群と一体成形されている。
【００３１】
インシュレータ５２は、コンタクト５１の延伸部５１ａに沿ってＺ方向に延びている。インシュレータ５２は、Ｙ方向外側ほど延伸長さ（Ｚ方向の長さ）が長くなっており、Ｙ方向内側からＹ方向外側に向かって複数段（例えば３段）の段差形状になっている。
【００３２】
コンタクトガイド５３は、コンタクト５１を位置決めすると共にコンタクト５１の短絡を防止するための部材である。コンタクトガイド５３は、インシュレータ５２及びコンタクト５１とは別体で成形されている。コンタクトガイド５３は、Ｙ方向において隣り合う２つのコンタクト群それぞれに対応するように、一対設けられている。コンタクトガイド５３は、下端においてインシュレータ５２の上端（Ｙ方向外側の上端）に接すると共に、コンタクト５１の延伸部５１ａに沿ってＺ方向に延び、延伸部５１ａの上端の上方まで延びている。コンタクトガイド５３は、Ｘ方向に所定のピッチで配置された複数のコンタクト５１それぞれに対応する位置に、コンタクト５１の形状に応じた窓部５３ａを有している。窓部５３ａは、コンタクト５１を収容する収容領域である。
【００３３】
外部シェル５４は、インシュレータ５２及びコンタクトガイド５３を被覆する部材である。外部シェル５４は、例えばアルミニウム等により構成されている。外部シェル５４は、リセプタクルコネクタ５０の４側面を形成する外壁５４ａと、Ｙ方向において隣り合って配置された一対のインシュレータ５２の間に配置された仕切り壁５４ｂとを有している。Ｙ方向外側に配置された外壁５４ａの内側面は、インシュレータ５２及びコンタクトガイド５３の外側面と接している。また、プラグコネクタ１０及びリセプタクルコネクタ５０が嵌合した状態において、Ｙ方向外側に配置された外壁５４ａの外側面は、プラグコネクタ１０の外壁１３ａの内側面と接している。仕切り壁５４ｂは、Ｘ方向全域に設けられており、両側面においてインシュレータ５２の内側面に接している。すなわち、仕切り壁５４ｂは、一方の側面において一方のインシュレータ５２の内側面に接しており、他方の側面において他方のインシュレータ５２の内側面と接している。また、プラグコネクタ１０及びリセプタクルコネクタ５０が嵌合した状態において、仕切り壁５４ｂの上端は、プラグコネクタ１０の仕切り壁１３ｂの下端と接している。
【００３４】
［嵌合状態に応じたコンタクトの接触］
次に、嵌合状態に応じた、プラグコネクタ１０のコンタクト１１及びリセプタクルコネクタ５０のコンタクト５１の接触について、図７を参照して説明する。
【００３５】
上述したように、第１接触部５１ｘは、第２接触部５１ｙよりもコンタクト１１に向けての突出の量が大きい。このため、図７（ａ）に示される嵌合途中においては、より突出した第１接触部５１ｘが主にコンタクト１１に接触することとなる。なお、第２接触部５１ｙは、嵌合途中において、必ずしもコンタクト１１に接触しないものでなくてもよい。すなわち、第２接触部５１ｙは、嵌合途中において、より突出した第１接触部５１ｘよりもコンタクト１１への接圧が弱い状態でコンタクト１１に接触していてもよい。
【００３６】
一方で、図７（ｂ）に示される嵌合完了時においては、第１接触部５１ｘは、Ｙ方向中央側に凹んだ凹部１１ｘに収容される。コンタクト５１は、コンタクト１１に向かって付勢するようにばね性を有しているため、第１接触部５１ｘが凹部１１ｘに収容されると、コンタクト５１がコンタクト１１側に遷移し、嵌合途中においてはコンタクト１１に接触していなかった（或いは、弱い接圧で接触していた）第２接触部５１ｙが、コンタクト１１に接触することとなる。
【００３７】
［作用効果］
次に、上述した電気コネクタ１の作用効果について説明する。電気コネクタ１は、互いに異なる基板ｂ１，ｂ２に実装されたプラグコネクタ１０とリセプタクルコネクタ５０とを備え、互いに異なる基板ｂ１，ｂ２同士の対面方向を嵌合方向として、プラグコネクタ１０とリセプタクルコネクタ５０とが嵌合された電気コネクタであって、プラグコネクタ１０は、嵌合方向に延びる導体部であるコンタクト１１を有し、リセプタクルコネクタ５０は、コンタクト１１と対向しながら嵌合方向に延び、コンタクト１１に接触する導体部であるコンタクト５１を有し、プラグコネクタ１０及びリセプタクルコネクタ５０が互いに嵌合している状態におけるコンタクト１１は、コンタクト５１から離れる方向に凹んだ凹部１１ｘを有し、コンタクト５１は、コンタクト１１に向かって突出した、第１接触部５１ｘ及び第２接触部５１ｙを有し、第１接触部５１ｘは、第２接触部５１ｙよりも突出の量が大きく、プラグコネクタ１０とリセプタクルコネクタ５０とが嵌合している状態において凹部１１ｘに収容されており、第２接触部５１ｙは、プラグコネクタ１０とリセプタクルコネクタ５０とが嵌合している状態においてコンタクト１１に接触している。
【００３８】
電気コネクタ１では、リセプタクルコネクタ５０のコンタクト５１として、対向するプラグコネクタ１０のコンタクト１１側に突出した第１接触部５１ｘおよび第２接触部５１ｙを有しており、第１接触部５１ｘの突出の量が第２接触部５１ｙの突出の量よりも大きい。このため、プラグコネクタ１０とリセプタクルコネクタ５０とを嵌合させるべく、プラグコネクタ１０をリセプタクルコネクタ５０に挿入する際には、主に、第１接触部５１ｘがコンタクト１１に接触することとなる。これにより、例えば耐久挿抜試験等を繰り返し行う場合において、コンタクト１１に対する第２接触部５１ｙの摺動距離を短くすることができ、第２接触部５１ｙのメッキ等の削れを抑制することができる。そして、リセプタクルコネクタ５０へのプラグコネクタ１０の挿入が完了し、プラグコネクタ１０とリセプタクルコネクタ５０とが嵌合している状態においては、リセプタクルコネクタ５０に形成された凹部１１ｘに第１接触部５１ｘが収容される。このように、突出の量が大きい第１接触部５１ｘが凹部１１ｘに収容されることにより、第２接触部５１ｙがコンタクト１１に接触することとなる。これにより、挿入時においてコンタクト１１と接触していなかった（或いは、弱い接圧で接触していた）第２接触部５１ｙを、嵌合している状態におけるメインコンタクトとすることができる。すなわち、コンタクト５１におけるメッキ等の削れが抑制された部分を、メインコンタクトとすることができる。以上のように、本実施形態に係る電気コネクタ１によれば、コンタクト５１におけるメインコンタクトのメッキ等の削れを抑制することができる。
【００３９】
また、本実施形態の電気コネクタ１におけるコンタクト５１は、コンタクト１１に向かって付勢するようにばね性を有している。これにより、コンタクト１１との接触状況に応じてコンタクト５１が変位可能となるので、嵌合作業が容易になるとともに、コンタクト１１に対するコンタクト５１の接圧を確保することができる。
【００４０】
また、本実施形態の電気コネクタ１において、第１接触部５１ｘは、嵌合方向（Ｚ方向）において、第２接触部５１ｙよりもコンタクト５１の先端に近い。先端側に設けられている第１接触部５１ｘは、インシュレータ５２におけるコンタクト５１の固定部分からの長さであるコンタクト長が、第２接触部５１ｙと比較して長くなる。コンタクト長が長くなるほど、ばね性を有する部分が長くなるので、プラグコネクタ１０に対する接圧は低くなる。このため、第１接触部５１ｘのプラグコネクタ１０に対する接圧は、第２接触部５１ｙの当該接圧よりも低くなる。プラグコネクタ１０の挿入時においてコンタクト１１と主に接触する第１接触部５１ｘの接圧を低くすることにより、挿入作業を容易に行うことができ、作業性を向上させることができる。そして、嵌合している状態においてコンタクト１１と接触する第２接触部５１ｙの接圧を高くすることにより、メインコンタクトの接圧を十分に確保することができる。
【００４１】
［他の実施形態］
以上、本発明の実施形態について説明したが、本発明は上記実施形態に限定されない。例えば、コンタクト５１は、コンタクト１１に向かって付勢するようにばね性を有しているとして説明したがこれに限定されず、コンタクト５１はばね性を有していなくてもよい。
【符号の説明】
【００４２】
１…電気コネクタ、１０…プラグコネクタ、１１…コンタクト（プラグコンタクト）、１１ｘ…凹部、５０…リセプタクルコネクタ、５１…コンタクト（リセプタクルコンタクト）、５１ｘ…第１接触部、５１ｙ…第２接触部、ｂ１，ｂ２…基板。
【図１】
0006327287.tif 000002
【図２】
0006327287.tif 000003
【図３】
0006327287.tif 000004
【図４】
0006327287.tif 000005
【図５】
0006327287.tif 000006
【図６】
0006327287.tif 000007
【図７】
0006327287.tif 000008